(57)【要約】【課題】回路基板を覆うカバーが設けられていなくても、不正行為が行われたときに、回路基板に実装される揮発性メモリに記憶されたデータ等を消去することが可能なカードリーダを提供する。【解決手段】このカードリーダは、カードリーダの制御回路が実装される第１回路基板４および第２回路基板５と、第１回路基板４と第２回路基板５とを電気的に接続するケーブル６とを備え、第１回路基板４には、制御プログラムやデータが記憶される揮発性メモリ８が実装されている。揮発性メモリ８に電力を供給するための電力供給線１２は、第１回路基板４から引き出されケーブル６および第２回路基板５を経由した後に再びケーブル６を経由して第１回路基板４に引き込まれている。電力供給線１２の一端には、揮発性メモリ８に電力を供給する電力供給源９、１１が電気的に接続され、電力供給線１２の他端には、揮発性メモリ８が電気的に接続されている。【選択図】図２
2016031708.tif 000002
【特許請求の範囲】
【請求項１】
カードに記録されたデータの読取りおよび前記カードへのデータの記録の少なくともいずれか一方を行うカードリーダにおいて、
前記カードリーダの制御回路が実装される第１回路基板および第２回路基板と、前記第１回路基板と前記第２回路基板とを電気的に接続するケーブルとを備え、
前記第１回路基板には、前記カードリーダを制御するための制御プログラムおよびデータの少なくともいずれか一方が記憶される揮発性メモリが実装され、
前記揮発性メモリに電力を供給するための電力供給線は、前記第１回路基板から引き出され前記ケーブルおよび前記第２回路基板を経由した後に再び前記ケーブルを経由して前記第１回路基板に引き込まれ、
前記電力供給線の一端には、前記揮発性メモリに電力を供給する電力供給源が電気的に接続され、
前記電力供給線の他端には、前記揮発性メモリが電気的に接続されていることを特徴とするカードリーダ。
【請求項２】
前記電力供給源として、前記揮発性メモリのバックアップ電源となる電池を備え、
前記電池は、前記第１回路基板に実装され、前記電力供給線の一端に電気的に接続されていることを特徴とする請求項１記載のカードリーダ。
【請求項３】
カードに記録されたデータの読取りおよび前記カードへのデータの記録の少なくともいずれか一方を行うカードリーダにおいて、
前記カードリーダの制御回路が実装される第１回路基板および第２回路基板と、前記第１回路基板と前記第２回路基板とを電気的に接続するケーブルと、前記ケーブルが固定されるフレームと、導電性材料で形成され前記ケーブルを前記フレームに固定する固定ネジとを備え、
前記第１回路基板には、前記カードリーダを制御するための制御プログラムおよびデータの少なくともいずれか一方が記憶される揮発性メモリが実装され、
前記ケーブルには、前記固定ネジが接触する第１導体部と第２導体部とが形成され、
前記揮発性メモリに電力を供給する電力供給源と前記揮発性メモリとは、前記電力供給源と前記第１導体部とを電気的に接続する第１電力供給線と、前記揮発性メモリと前記第２導体部とを電気的に接続する第２電力供給線と、前記固定ネジとによって電気的に接続されていることを特徴とするカードリーダ。
【請求項４】
前記電力供給源として、前記揮発性メモリのバックアップ電源となる電池を備え、
前記電池は、前記第１回路基板に実装され、前記第１電力供給線に電気的に接続されていることを特徴とする請求項３記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行うカードリーダが知られている（たとえば、特許文献１参照）。特許文献１に記載のカードリーダは、回路基板と、回路基板の回路実装面を覆うカバーと、回路基板およびカバーが固定されるフレームを備えている。回路基板には、ＣＰＵと、揮発性メモリと、揮発性メモリのバックアップ電源となる電池と、メモリ制御回路とが実装されている。また、回路基板には、外部電源および電池から揮発性メモリへ電力を供給するための給電回路が実装されている。給電回路には、プッシュスイッチタイプのスイッチが設けられている。このスイッチは、カバーによって回路基板が覆われると、スイッチの操作部がカバーに押されてスイッチの接点が閉じるように配置されている。
【０００３】
特許文献１に記載のカードリーダでは、通常、回路基板はカバーによって覆われており、スイッチの操作部はカバーによって押されて、スイッチはオンの状態となっている。すなわち、通常、揮発性メモリには、外部電源あるいは電池が電気的に接続されており、外部電源または電池から揮発性メモリに電力が供給されている。一方、犯罪者等が不正行為を行うために、フレームからカバーを取り外すと、スイッチがオフの状態となり、揮発性メモリへの電力の供給が停止されて、揮発性メモリに記憶された制御プログラムやデータが消去される。そのため、このカードリーダでは、揮発性メモリに記憶されたデータ等の不正な取得が阻止される。また、このカードリーダでは、揮発性メモリに記憶されたデータ等が消去されると、所定の処理を行って、カードリーダの動作を停止させている。
【先行技術文献】
【特許文献】
【０００４】
【特許文献１】特開２００６−１１９９８７号公報
【発明の概要】
【発明が解決しようとする課題】
【０００５】
特許文献１に記載のカードリーダでは、回路基板を覆うカバーを利用して給電回路を構成するスイッチのオンオフを行い、スイッチがオフの状態となると、揮発性メモリへの電力の供給が停止されて、揮発性メモリに記憶されたデータ等が消去されている。すなわち、このカードリーダでは、回路基板を覆うカバーが設けられていないと、不正行為が行われたときに揮発性メモリに記憶されたデータ等を消去することができない。
【０００６】
そこで、本発明の課題は、回路基板を覆うカバーが設けられていなくても、不正行為が行われたときに、回路基板に実装される揮発性メモリに記憶されたデータ等を消去することが可能なカードリーダを提供することにある。
【課題を解決するための手段】
【０００７】
上記の課題を解決するため、本発明のカードリーダは、カードに記録されたデータの読取りおよびカードへのデータの記録の少なくともいずれか一方を行うカードリーダにおいて、カードリーダの制御回路が実装される第１回路基板および第２回路基板と、第１回路基板と第２回路基板とを電気的に接続するケーブルとを備え、第１回路基板には、カードリーダを制御するための制御プログラムおよびデータの少なくともいずれか一方が記憶される揮発性メモリが実装され、揮発性メモリに電力を供給するための電力供給線は、第１回路基板から引き出されケーブルおよび第２回路基板を経由した後に再びケーブルを経由して第１回路基板に引き込まれ、電力供給線の一端には、揮発性メモリに電力を供給する電力供給源が電気的に接続され、電力供給線の他端には、揮発性メモリが電気的に接続されていることを特徴とする。
【０００８】
本発明のカードリーダでは、第１回路基板と第２回路基板とがケーブルによって電気的に接続されている。また、本発明では、第１回路基板に実装される揮発性メモリに電力を供給するための電力供給線は、第１回路基板から引き出されケーブルおよび第２回路基板を経由した後に再びケーブルを経由して第１回路基板に引き込まれるとともに、電力供給線の一端に揮発性メモリに電力を供給する電力供給源が電気的に接続され、電力供給線の他端に揮発性メモリが電気的に接続されている。そのため、本発明では、犯罪者等が不正行為を行おうとして、第１回路基板からケーブルを取り外すと、あるいは、第２回路基板からケーブルを取り外すと、揮発性メモリへの電力の供給が停止されて、揮発性メモリに記憶されたデータ等が消去される。したがって、本発明では、第１回路基板を覆うカバーが設けられていなくても、不正行為が行われたときに、第１回路基板に実装される揮発性メモリに記憶されたデータ等を消去することが可能になる。
【０００９】
また、本発明では、カードリーダを制御するために必要となる第２回路基板と、第１回路基板と第２回路基板とを接続するために必要となるケーブルとを利用して、不正行為が行われたときに揮発性メモリに記憶されたデータ等を消去しているため、第１回路基板を覆うカバーを利用して、不正行為が行われたときに揮発性メモリに記憶されたデータ等を消去する場合と比較して、カードリーダの構成を簡素化することが可能になる。また、本発明では、カードリーダを制御するために必要となる第２回路基板と、第１回路基板と第２回路基板とを接続するために必要となるケーブルとに引き回される電力供給線を用いて、不正行為が行われたときに揮発性メモリに記憶されたデータ等を消去しているため、カードリーダにセキュリティ対策が施されていることに犯罪者は気付きにくくなる。
【００１０】
本発明において、たとえば、カードリーダは、電力供給源として、揮発性メモリのバックアップ電源となる電池を備え、電池は、第１回路基板に実装され、電力供給線の一端に電気的に接続されている。
【００１１】
また、上記の課題を解決するため、本発明のカードリーダは、カードに記録されたデータの読取りおよびカードへのデータの記録の少なくともいずれか一方を行うカードリーダにおいて、カードリーダの制御回路が実装される第１回路基板および第２回路基板と、第１回路基板と第２回路基板とを電気的に接続するケーブルと、ケーブルが固定されるフレームと、導電性材料で形成されケーブルをフレームに固定する固定ネジとを備え、第１回路基板には、カードリーダを制御するための制御プログラムおよびデータの少なくともいずれか一方が記憶される揮発性メモリが実装され、ケーブルには、固定ネジが接触する第１導体部と第２導体部とが形成され、揮発性メモリに電力を供給する電力供給源と揮発性メモリとは、電力供給源と第１導体部とを電気的に接続する第１電力供給線と、揮発性メモリと第２導体部とを電気的に接続する第２電力供給線と、固定ネジとによって電気的に接続されていることを特徴とする。
【００１２】
本発明のカードリーダでは、第１回路基板と第２回路基板とがケーブルによって電気的に接続され、ケーブルは、導電性材料で形成される固定ネジによってフレームに固定されている。また、本発明では、第１回路基板に実装される揮発性メモリと揮発性メモリに電力を供給する電力供給源とが、ケーブルに形成される第１導体部と電力供給源とを電気的に接続する第１電力供給線と、ケーブルに形成される第２導体部と揮発性メモリとを電気的に接続する第２電力供給線と、第１導体部および第２導体部に接触する固定ネジとによって電気的に接続されている。そのため、本発明では、犯罪者等が不正行為を行おうとして、固定ネジを取り外すと、あるいは、第１回路基板からケーブルを取り外すと、揮発性メモリへの電力の供給が停止されて、揮発性メモリに記憶されたデータ等が消去される。したがって、本発明では、第１回路基板を覆うカバーが設けられていなくても、不正行為が行われたときに、第１回路基板に実装される揮発性メモリに記憶されたデータ等を消去することが可能になる。
【００１３】
また、本発明では、第１回路基板と第２回路基板とを接続するために必要となるケーブルと、ケーブルを固定するために必要となる固定ネジとを利用して、不正行為が行われたときに揮発性メモリに記憶されたデータ等を消去しているため、第１回路基板を覆うカバーを利用して、不正行為が行われたときに揮発性メモリに記憶されたデータ等を消去する場合と比較して、カードリーダの構成を簡素化することが可能になる。また、本発明では、第１回路基板と第２回路基板とを接続するために必要となるケーブルに引き回される第１電力供給線および第２電力供給線と、ケーブルを固定するために必要となる固定ネジとを用いて、不正行為が行われたときに揮発性メモリに記憶されたデータ等を消去しているため、カードリーダにセキュリティ対策が施されていることに犯罪者は気付きにくくなる。
【００１４】
本発明において、たとえば、カードリーダは、揮発性メモリのバックアップ電源となる電池を備え、電池は、第１回路基板に実装され、第１電力供給線に電気的に接続されている。
【発明の効果】
【００１５】
以上のように、本発明のカードリーダでは、回路基板を覆うカバーが設けられていなくても、不正行為が行われたときに、回路基板に実装される揮発性メモリに記憶されたデータ等を消去することが可能になる。
【図面の簡単な説明】
【００１６】
【図１】本発明の実施の形態にかかるカードリーダの概略正面図である。
【図２】図１に示す第１回路基板、第２回路基板およびケーブルの構成を説明するための概略図である。
【図３】本発明の他の実施の形態にかかる第２回路基板およびケーブルの構成を説明するための概略図である。
【図４】図３のＥ部の構成を説明するための図である。
【発明を実施するための形態】
【００１７】
以下、図面を参照しながら、本発明の実施の形態を説明する。
【００１８】
（カードリーダの構成）
図１は、本発明の実施の形態にかかるカードリーダ１の概略正面図である。図２は、図１に示す第１回路基板４、第２回路基板５およびケーブル６の構成を説明するための概略図である。
【００１９】
本形態のカードリーダ１は、カード（図示省略）に記録されたデータの読取りおよびカードへのデータの記録の少なくともいずれか一方を行うための装置であり、たとえば、ＡＴＭ等の所定の上位装置に搭載されて使用される。カードは、たとえば、厚さが０．７〜０．８ｍｍ程度の略長方形状の塩化ビニール製のカードである。このカードには、たとえば、磁気データが記録される磁気ストライプが形成されている。また、このカードには、たとえば、ＩＣチップが内蔵されている。なお、カードは、厚さが０．１８〜０．３６ｍｍ程度のＰＥＴ（ポリエチレンテレフタレート）カードであっても良いし、所定の厚さの紙カード等であっても良い。
【００２０】
カードリーダ１の内部には、カード挿入口２から挿入されたカードが搬送されるカード搬送路が形成されている。カードリーダ１は、カード搬送路でカードを搬送するカードの搬送機構を備えている。また、カードリーダ１は、磁気ヘッドやＩＣ接点ブロック等を備えている。なお、カードリーダ１は、ユーザが手動でカードを操作する手動式のカードリーダであっても良い。
【００２１】
また、カードリーダ１は、カードリーダ１の制御回路が実装される第１回路基板４および第２回路基板５と、第１回路基板４と第２回路基板５とを電気的に接続するケーブル６とを備えている。第１回路基板４および第２回路基板５は、ガラスエポキシ基板等のリジッド基板である。第１回路基板４および第２回路基板５は、カードリーダ１のフレームに固定されている。図１に示すように、第１回路基板４は、たとえば、カードリーダ１の側面に配置され、第２回路基板５は、たとえば、カードリーダ１の底面側に配置されている。ケーブル６は、たとえば、フレキシブルプリント基板（ＦＰＣ）あるいはフレキシブルフラットケーブル（ＦＦＣ）である。ケーブル６の一端は、コネクタを介して第１回路基板４に接続され、ケーブル６の他端は、コネクタを介して第２回路基板５に接続されている。
【００２２】
第１回路基板４には、カードリーダ１を制御するための制御プログラムおよびデータの少なくともいずれか一方が記憶される揮発性メモリ８と、揮発性メモリ８のバックアップ電源となる電池９とが実装されている。また、第１回路基板４には、カードリーダ１を制御するための各種の電子部品等が実装されている。第２回路基板５にも、カードリーダ１を制御するための各種の電子部品等が実装されている。ケーブル６は、第１回路基板４と第２回路基板５との間で各種の信号の通信を行うための信号線１０を備えている。
【００２３】
第１回路基板４には、第１回路基板４等に電力を供給する外部電源１１が接続されている。本形態では、通常、外部電源１１から揮発性メモリ８に電力が供給されており、外部電源１１から揮発性メモリ８への電力の供給が停止されると、電池９から揮発性メモリ８に電力が供給される。本形態の電池９および外部電源１１は、揮発性メモリ８に電力を供給する電力供給源である。
【００２４】
揮発性メモリ８に電力を供給するための電力供給線１２の一端には、電池９および外部電源１１が電気的に接続されている。電力供給線１２の他端には、揮発性メモリ８が電気的に接続されている。また、電力供給線１２は、第１回路基板４から引き出されケーブル６および第２回路基板５を経由した後に再びケーブル６を経由して第１回路基板４に引き込まれている。すなわち、電力供給線１２は、第１回路基板４にその一部が実装されるとともに電池９と外部電源１１とが接続される第１供給線部１２ａと、第１回路基板４に実装されるとともに揮発性メモリ８が接続される第２供給線部１２ｂと、ケーブル６に実装されるとともに第１供給線部１２ａに接続される第３供給線部１２ｃと、ケーブル６に実装されるとともに第２供給線部１２ｂに接続される第４供給線部１２ｄと、第２回路基板５に実装されるとともに第３供給線部１２ｃにその一端が接続され第４供給線部１２ｄにその他端が接続される第５供給線部１２ｅとから構成されている。
【００２５】
そのため、犯罪者等が不正行為を行おうとして、第１回路基板４からケーブル６を取り外すと、あるいは、第２回路基板５からケーブル６を取り外すと、揮発性メモリ８への電力の供給が停止されて、揮発性メモリ８に記憶されたデータ等が消去される。本形態では、揮発性メモリ８に記憶されたデータ等が消去されると、カードリーダ１は、所定の処理を行って、カードリーダ１が動作しないようにしたり、警報を発したり、所定の表示装置を用いて警告表示を行ったりする。
【００２６】
（本形態の主な効果）
以上説明したように、本形態では、電力供給線１２は、第１回路基板４から引き出されケーブル６および第２回路基板５を経由した後に再びケーブル６を経由して第１回路基板４に引き込まれている。また、本形態では、電力供給線１２の一端に電池９および外部電源１１が電気的に接続され、電力供給線１２の他端に揮発性メモリ８が電気的に接続されている。そのため、本形態では、上述のように、犯罪者等が不正行為を行おうとして、第１回路基板４からケーブル６を取り外すと、あるいは、第２回路基板５からケーブル６を取り外すと、揮発性メモリ８への電力の供給が停止されて、揮発性メモリ８に記憶されたデータ等が消去される。したがって、本形態では、上述の特許文献１に記載のカードリーダのように第１回路基板４を覆うカバーが設けられていなくても、不正行為が行われたときに揮発性メモリ８に記憶されたデータ等を消去することが可能になる。
【００２７】
また、本形態では、カードリーダ１を制御するために必要となる第２回路基板５と、第１回路基板４と第２回路基板５とを接続するために必要となるケーブル６とを利用して、不正行為が行われたときに揮発性メモリ８に記憶されたデータ等を消去しているため、第１回路基板４を覆うカバーを利用して、不正行為が行われたときに揮発性メモリ８に記憶されたデータ等を消去する場合と比較して、カードリーダ１の構成を簡素化することが可能になる。
【００２８】
また、本形態では、カードリーダ１を制御するために必要となる第２回路基板５と、第１回路基板４と第２回路基板５とを接続するために必要となるケーブル６とに引き回される電力供給線１２を用いて、不正行為が行われたときに揮発性メモリ８に記憶されたデータ等を消去しているため、カードリーダ１にセキュリティ対策が施されていることに犯罪者は気付きにくくなる。
【００２９】
（第２回路基板およびケーブルの変形例）
図３は、本発明の他の実施の形態にかかる第２回路基板５およびケーブル６の構成を説明するための概略図である。図４は、図３のＥ部の構成を説明するための図である。
【００３０】
上述した形態では、電池９および外部電源１１と揮発性メモリ８とは、第１回路基板４から引き出されケーブル６および第２回路基板５を経由した後に再びケーブル６を経由して第１回路基板４に引き込まれる電力供給線１２によって電気的に接続されているが、電池９および外部電源１１と揮発性メモリ８とは、以下のように電気的に接続されても良い。なお、図３では、上述した形態と同一の構成には、同一の符号を付している。
【００３１】
この変形例では、ケーブル６は、固定ネジ１６によってカードリーダ１のフレームに固定されている。固定ネジ１６は、金属等の導電性材料で形成されている。また、ケーブル６には、固定ネジ１６が接触する第１導体部１７と第２導体部１８とが形成されている。第１導体部１７および第２導体部１８は、導電性材料で形成されている。たとえば、ケーブル６がＦＰＣである場合には、絶縁被膜で覆われてない導体パターンの端部が第１導体部１７および第２導体部１８となっている。また、たとえば、ケーブル６がＦＦＣである場合には、ＦＦＣの、絶縁被膜が取り除かれた部分に、第１導体部１７および第２導体部１８が形成されている。
【００３２】
電池９および外部電源１１と第１導体部１７とは、第１電力供給線２１によって電気的に接続され、揮発性メモリ８と第２導体部１８とは、第２電力供給線２２によって電気的に接続されている。第１電力供給線２１は、第１回路基板４にその一部が実装されるとともに電池９と外部電源１１とが接続される第１供給線部２１ａと、ケーブル６に実装されるとともに第１供給線部２１ａおよび第１導体部１７に接続される第２供給線部２１ｂとによって構成されている。第２電力供給線２２は、第１回路基板４に実装されるとともに揮発性メモリ８が接続される第１供給線部２２ａと、ケーブル６に実装されるとともに第１供給線部２２ａおよび第２導体部１８に接続される第２供給線部２２ｂとによって構成されている。
【００３３】
電池９および外部電源１１と揮発性メモリ８とは、第１電力供給線２１と、第２電力供給線２２と、第１導体部１７および第２導体部１８に接触する固定ネジ１６とによって電気的に接続されている。そのため、この変形例では、犯罪者等が不正行為を行おうとして、固定ネジ１６を取り外すと、あるいは、第１回路基板４からケーブル６を取り外すと、揮発性メモリ８への電力の供給が停止されて、揮発性メモリ８に記憶されたデータ等が消去される。したがって、この変形例においても、特許文献１に記載のカードリーダのように第１回路基板４を覆うカバーが設けられていなくても、不正行為が行われたときに揮発性メモリ８に記憶されたデータ等を消去することが可能になる。
【００３４】
また、この変形例では、第１回路基板４と第２回路基板５とを接続するために必要となるケーブル６と、ケーブル６を固定するために必要となる固定ネジ１６とを利用して、不正行為が行われたときに揮発性メモリ８に記憶されたデータ等を消去しているため、第１回路基板４を覆うカバーを利用して、不正行為が行われたときに揮発性メモリ８に記憶されたデータ等を消去する場合と比較して、カードリーダ１の構成を簡素化することが可能になる。また、この変形例では、第１回路基板４と第２回路基板５とを接続するために必要となるケーブル６に引き回される第１電力供給線２１および第２電力供給線２２と、ケーブル６を固定するために必要となる固定ネジ１６とを用いて、不正行為が行われたときに揮発性メモリ８に記憶されたデータ等を消去しているため、カードリーダ１にセキュリティ対策が施されていることに犯罪者は気付きにくくなる。
【００３５】
（他の実施の形態）
上述した形態および変形例は、本発明の好適な形態の一例ではあるが、これに限定されるものではなく本発明の要旨を変更しない範囲において種々変形実施が可能である。
【００３６】
上述した形態では、電力供給線１２の一端に外部電源１１が電気的に接続されているが、電力供給線１２の一端に外部電源１１が電気的に接続されていなくても良い。また、上述の変形例では、第１電力供給線２１の一端に外部電源１１が電気的に接続されているが、第１電力供給線２１の一端に外部電源１１が電気的に接続されていなくても良い。
【符号の説明】
【００３７】
１  カードリーダ
４  第１回路基板
５  第２回路基板
６  ケーブル
８  揮発性メモリ
９  電池（電力供給源）
１１  外部電源（電力供給源）
１２  電力供給線
１６  固定ネジ
１７  第１導体部
１８  第２導体部
２１  第１電力供給線
２２  第２電力供給線
【図１】
2016031708.tif 000003
【図２】
2016031708.tif 000004
【図３】
2016031708.tif 000005
【図４】
2016031708.tif 000006